(57)【要約】      （修正有）【課題】利便性を向上する冷蔵庫を提供する。【解決手段】貯蔵室の両側壁に突設されるとともに上下に並設される複数の棚受部と、左右の棚受部上に橋架して貯蔵物を載置する載置棚１１とを備えた冷蔵庫１において、棚受部が載置棚１１を設置する設置位置と、設置位置に対して少なくとも前端１５ａを上下方向に配した退避位置との間を可動に配される。【選択図】図７
2014031970.tif 000002
【特許請求の範囲】
【請求項１】
貯蔵室の両側壁に突設されるとともに上下に並設される複数の棚受部と、左右の前記棚受部上に橋架して貯蔵物を載置する載置棚とを備えた冷蔵庫において、
前記棚受部が前記載置棚を設置する設置位置と、前記設置位置に対して少なくとも前端を上下方向に配した退避位置との間を可動に配されることを特徴とする冷蔵庫。
【請求項２】
前記棚受部が前記側壁に軸支される軸支部を有し、前記軸支部を中心に前記棚受部の前端が回動することを特徴とする請求項１に記載の冷蔵庫。
【請求項３】
前記軸支部よりも前方で前記設置位置に配した前記棚受部を支持する支持ピンを前記側壁に突設し、前記退避位置で前記棚受部の前端が前記設置位置に対して上方に可動することを特徴とする請求項２に記載の冷蔵庫。
【請求項４】
前記棚受部が後部に配して前記側壁に固定される固定部と、前記固定部の前方に配して可動する可動部とを有することを特徴とする請求項２又は３に記載の冷蔵庫。
【請求項５】
前記固定部の上方に対向配置して前記載置棚を挟む押さえ部を設けたことを特徴とする請求項４に記載の冷蔵庫。
【発明の詳細な説明】
【技術分野】
【０００１】
本発明は貯蔵物を載置する載置棚を備えた冷蔵庫に関する。
【背景技術】
【０００２】
従来の冷蔵庫は特許文献１に開示されている。この冷蔵庫は貯蔵室を形成するとともに断熱材を充填した断熱箱体を備える。各貯蔵室の前面は断熱扉により開閉される。貯蔵室内には貯蔵物を載置する載置棚が設けられる。
【０００３】
載置棚は板状に形成され、貯蔵室の両側壁から突出して設けられる棚受部上に橋架される。棚受部は上下方向に複数並設され、載置棚を前方に引き出して所望の棚受部上に設置することによって載置棚の設置位置を可変することができる。
【先行技術文献】
【特許文献】
【０００４】
【特許文献１】実開平２−１３４４９０号公報
【発明の概要】
【発明が解決しようとする課題】
【０００５】
上記従来の冷蔵庫によると、扉の開閉方向に壁や食器棚等の障害物が配された場合に、扉を広く開放することができない。このため、扉の内面側に設けられる扉ポケットや内壁等に載置棚が接触して載置棚を前方へ水平に引き出すことができなくなる。
【０００６】
この時、載置棚を上下方向に回動させながら斜め前方へ引き出そうとすると、載置棚が上方に隣接する棚受部に接触して引き出せない。従って、載置棚の設置位置を変えることができず、冷蔵庫の利便性が悪い問題があった。
【０００７】
本発明は、利便性を向上できる冷蔵庫を提供することを目的とする。
【課題を解決するための手段】
【０００８】
上記目的を達成するために本発明の冷蔵庫は、貯蔵室の両側壁に突設されるとともに上下に並設される複数の棚受部と、左右の前記棚受部上に橋架して貯蔵物を載置する載置棚とを備えた冷蔵庫において、前記棚受部が前記載置棚を設置する設置位置と、前記設置位置に対して少なくとも前端を上下方向に配した退避位置との間を可動に配されることを特徴とする。
【０００９】
この構成によると、ユーザが扉を開いて載置棚を引き出す際に、棚受部は設置位置に対して少なくとも前端を上下方向に配した退避位置に移動する。これにより、ユーザは載置棚を上下方向に回動させながら斜め前方へ引き出すことができる。棚受部を回動により可動にしてもよく、スライド移動により可動にしてもよい。
【００１０】
また本発明は、上記構成の冷蔵庫において、前記棚受部が前記側壁に軸支される軸支部を有し、前記軸支部を中心に前記棚受部の前端が回動することを特徴とする。この構成によると、軸支部を中心に棚受部の前端が上下に回動し、隣接する棚受部の前部の間隔が広げられる。
【００１１】
また本発明は、上記構成の冷蔵庫において、前記軸支部よりも前方で前記設置位置に配した前記棚受部を支持する支持ピンを前記側壁に突設し、前記退避位置で前記棚受部の前端が前記設置位置に対して上方に可動することを特徴とする。この構成によると載置棚は設置位置で支持ピンにより下面を支持されて水平に配され、退避位置で設置位置に対して前端が上方に可動する。
【００１２】
また本発明は、上記構成の冷蔵庫において、前記棚受部が後部に配して前記側壁に固定される固定部と、前記固定部の前方に配して可動する可動部とを有することを特徴とする。
【００１３】
また本発明は、上記構成の冷蔵庫において、前記固定部の上方に対向配置して前記載置棚を挟む押さえ部を設けたことを特徴とする。
【発明の効果】
【００１４】
本発明によると、棚受部が載置棚を設置する設置位置と、設置位置に対して少なくとも前端を上下方向に配した退避位置との間を可動に配される。これにより、冷蔵庫が扉を広く開けることができない場所に設置されても、棚受部を退避位置に配して載置棚を上下方向に回動させながら斜め前方に引き出すことができる。従って、載置棚の設置位置を可変することができ冷蔵庫の利便性を向上することができる。
【図面の簡単な説明】
【００１５】
【図１】本発明の実施形態の冷蔵庫を示す側面断面図
【図２】本発明の実施形態の冷蔵庫を示す上面断面図
【図３】本発明の実施形態の冷蔵庫の棚受部を示す側面図
【図４】図３のＡ−Ａ断面図
【図５】図３のＢ−Ｂ断面図
【図６】図３のＣ−Ｃ断面図
【図７】本発明の実施形態の冷蔵庫の載置棚及び棚受部を示す側面図
【発明を実施するための形態】
【００１６】
以下に本発明の実施形態を図面を参照して説明する。図１、図２は一実施形態の冷蔵庫１を示す側面断面図、上面断面図を示している。
【００１７】
冷蔵庫１は断熱材を充填した断熱箱体２を有する本体部３を備える。断熱箱体２の上部には冷蔵室（貯蔵室）４が配され、下部には冷凍室５が配される。冷蔵室４、冷凍室５の前面は断熱材を充填した扉８、９により開閉される
【００１８】
断熱箱体２の後方下部には機械室６が設けられる。機械室６には冷凍サイクルを運転する圧縮機３１が配される。冷凍室５の背後には冷気が流通する冷気通路７が設けられる。
【００１９】
冷気通路７には冷凍サイクルの低温部となる冷却器３５が配され、冷却器３５の上方には送風ファン１０が配される。送風ファン１０の駆動によって、冷気通路７を流通する空気が冷却器３５と熱交換して冷気が生成される。
【００２０】
断熱箱体２の下端の前部には脚部１９が設けられる。断熱箱体２の下端の後部には車輪２０が設けられる。断熱箱体２の前部を持ち上げると、車輪２０が冷蔵庫１の設置面上を転動して冷蔵庫１を移動させることができる。
【００２１】
冷蔵室４内には貯蔵物を載置する複数の載置棚１１が設けられる。載置棚１１は板状に形成され、冷蔵室４の両側壁４ａから突出して設けられる棚受部１２上に橋架される。載置棚１１の数量よりも多い棚受部１２が上下方向に並設される。
【００２２】
本実施形態では載置棚１１が３個設けられ、棚受部１２が上下方向に７個設けられる。詳細を後述するように、載置棚１１を前方に引き出して所望の棚受部１２上に橋架することによって載置棚１１の設置位置を可変することができる。
【００２３】
冷蔵室４の扉８の内面側には扉ポケット８ａ、内壁８ｂ、８ｃが設けられる。扉ポケット８ａには飲料等の貯蔵物が収納する。内壁８ｂ、８ｃにより扉８を閉めた際の冷蔵室４の密封性が向上される。
【００２４】
図３は棚受部１２の側面図を示している。図４〜図６はそれぞれ図３のＡ−Ａ断面図、Ｂ−Ｂ断面図、Ｃ−Ｃ断面図を示している。棚受部１２は貯蔵室４の両側壁４ａ（図２参照）に突出されるとともに上下に並設される。棚受部１２は固定部１４、可動部１５を有する。
【００２５】
固定部１４は冷蔵室４の側壁４ａ（図２参照）の後部に固定され、前後方向に延びて形成される。固定部１４の上方には押え部１６が平行に設けられる。載置棚１１（図１参照）は固定部１４と押え部１６との間に挟まれ、がたつきが防止される。
【００２６】
また、固定部１４の後端と押え部１６の後端とは連結部１８で連結される。連結部１８に載置棚１１の後端が当接して載置棚１１が前後方向に位置決めされる。
【００２７】
可動部１５は固定部１４の前方に配されて前後方向に延び、側壁４ａ（図２参照）に回動自在に軸支される。即ち、可動部１５の後部には軸孔１５ａが設けられ、側壁４ａに突設される軸部１３に軸孔１５ａが嵌合して可動部１５が軸支される。
【００２８】
従って、軸孔１５ａは可動部１５を軸支する軸支部を構成する。側壁４ａに軸孔を設け、可動部１５に軸部を突設して軸支部を形成してもよい。尚、軸部１３の軸方向の端面にはネジ２１が取り付けられ、可動部１５が抜け止めされる。
【００２９】
可動部１５の前部の下面には側壁４ａ（図２参照）に突設される支持ピン１７に係合する係合溝１５ｂが凹設される。図３に示すように係合溝１５ｂが支持ピン１７に係合して可動部１５が支持ピン１７上に配された設置位置で固定部１４と可動部１５とが一直線上に配される。これにより、載置棚１１が固定部１４及び可動部１５上に設置され、水平に配される。
【００３０】
また、図７に示すように可動部１５の前端１５ｃを上方に回動させると（矢印Ａ）、可動部１５が設置位置に対して退避する退避位置に配される。即ち、可動部１５は回動によって設置位置と退避位置との間を可動に配される。
【００３１】
前述の図２に示すように冷蔵庫１の背面１ａ及び扉８の枢支側の側面１ｂが室内の壁Ｗに接近して配置されると、扉８が９０゜程度しか開くことができない。このため、扉８の扉ポケット８ａや内壁８ｂに載置棚１１が接触して載置棚１１を前方へ水平に引き出すことができない。
【００３２】
この時、図７に示すように、載置棚１１を回動させながら斜め前方に引き出すと、載置棚１１の後端１１ｂが上方に隣接する可動部１５に当接する。これにより、可動部１５が回動して退避位置に配され、上下に隣接する棚受部１２の前端の間隔が広げられる。これにより、載置棚１１を前方に引き出すことができる。載置棚１１が冷蔵室４から引き出して取り外されると可動部１５は自重によって設置位置に戻る。
【００３３】
また、載置棚１１を設置する際も同様に、載置棚１１の後端１１ｂが上方に隣接する可動部１５を押し上げ、載置棚１１が挿入される。これにより、載置棚１１を所望の高さに設置することができる。
【００３４】
本実施形態によると、棚受部１２が載置棚１１を設置する設置位置と、設置位置に対して少なくとも前端１５ｃを上下方向に配した退避位置との間を可動に配される。これにより、冷蔵庫１が扉を広く開けることができない場所に設置されても、棚受部１２を退避位置に配して載置棚１１を上下方向に回動させながら斜め前方に引き出すことができる。従って、載置棚１１の設置位置を可変することができ冷蔵庫１の利便性を向上することができる。
【００３５】
また、棚受部１２が側壁４ａに軸支される軸孔（軸支部）１５ａを有し、軸孔１５ａを中心に棚受部１２の前端１５ｃが回動するため、可動の棚受部１２を容易に実現することができる。
【００３６】
また、軸孔１５ａよりも前方で棚受部１２を支持する支持ピン１７を側壁４ａに突設し、退避位置で棚受部１２の前端１５ｃが設置位置に対して上方に可動するため、棚受部１２は自重によって退避位置から設置位置に戻る。従って、冷蔵庫１の利便性をより向上できる。
【００３７】
また、棚受部１２が後部に配して側壁４ａに固定される固定部１４と、固定部１４の前方に配して可動する可動部１５とを有するため、載置棚１１により持ち上げられる可動部１５を軽量化することができる。
【００３８】
また、固定部１４の上方に対向配置して載置棚１１を挟む押さえ部１６を設けたため、載置棚１１のがたつきを防止して安定して載置棚１１を棚受部１２上に設置できる。
【００３９】
本実施形態において、可動部１５の前端１５ｃが設置位置に対して上方に回動したが、可動部１５の前端１５ｃが設置位置に対して下方に回動する構成であってもよい。これにより、回動した可動部１５上を載置棚１１が摺動し、載置棚１１を引き出すことができる。また、可動部１５の全体が上下方向に移動する構成であってもよい。
【産業上の利用可能性】
【００４０】
本発明によると、貯蔵物を載置する載置棚を備えた冷蔵庫に利用することができる。
【符号の説明】
【００４１】
１      冷蔵庫
２      断熱箱体
３      本体部
４      冷蔵室
４ａ    側壁
５      冷凍室
６      機械室
７      冷気通路
８      扉
８ａ    扉ポケット
８ｂ    扉内壁
９      扉
１０    送風ファン
１１    載置棚
１２    棚受部
１３    ピン
１４    固定部
１５    可動部
１５ａ  軸孔
１５ｂ  係合溝
１５ｃ  前端
１６    押さえ部
１７    支持ピン
１８    連結部
１９    脚部
２０    車輪
２１    ネジ
【図１】
2014031970.tif 000003
【図２】
2014031970.tif 000004
【図３】
2014031970.tif 000005
【図４】
2014031970.tif 000006
【図５】
2014031970.tif 000007
【図６】
2014031970.tif 000008
【図７】
2014031970.tif 000009